(57)【要約】【課題】記録ヘッドを取り付ける際の所望の位置に対する取り付け位置のずれを簡単に抑制する。【解決手段】記録ヘッド６と、記録ヘッド６が載置される載置部１６と、記録ヘッド６を押圧する押圧部１２と、押圧部１２による押圧方向Ｚと交差し各々が交差する複数方向Ｘ及びＹにおいて記録ヘッド６を当接可能な当接部１１と、を備え、記録ヘッド６は、押圧部１２による押圧力の一部を複数方向Ｘ及びＹに分ける被押圧面１０を有し、被押圧面１０が押圧部１２に押圧されることによって、載置部１６、押圧部１２及び当接部１１により挟持される。【選択図】図３
2016107559.tif 000002
【特許請求の範囲】
【請求項１】
記録ヘッドと、
前記記録ヘッドが載置される載置部と、
前記記録ヘッドを押圧する押圧部と、
前記押圧部による押圧方向と交差し各々が交差する複数方向において前記記録ヘッドを当接可能な当接部と、を備え、
前記記録ヘッドは、
前記押圧部による押圧力の一部を前記複数方向に分ける被押圧面を有し、
前記被押圧面が前記押圧部に押圧されることによって、前記載置部、前記押圧部及び前記当接部により挟持されることを特徴とする記録装置。
【請求項２】
請求項１に記載の記録装置において、
前記押圧部は、弾性部材を有し、該弾性部材の弾性力により前記記録ヘッドを押圧することを特徴とする記録装置。
【請求項３】
請求項１又は２に記載の記録装置において、
前記被押圧面は、前記記録ヘッドにおける前記押圧方向及び前記複数方向の上流側端部に形成されていることを特徴とする記録装置。
【請求項４】
請求項１から３のいずれか１項に記載の記録装置において、
前記被押圧面は、前記押圧方向に凹状の曲面で構成されていることを特徴とする記録装置。
【請求項５】
請求項４に記載の記録装置において、
前記押圧部は、前記凹状の曲面に対応する前記押圧方向に凸状の曲面で、該凹状の曲面を押圧することを特徴とする記録装置。
【請求項６】
請求項１から５のいずれか１項に記載の記録装置において、
前記載置部は、複数の前記記録ヘッドを載置可能であり、
複数の前記記録ヘッドの各々の前記被押圧面は、複数の前記記録ヘッドが前記載置部に載置された状態においては、１カ所にまとまるように配置され、
前記押圧部は、前記１カ所にまとめられた各々の前記被押圧面をまとめて押圧可能であることを特徴とする記録装置。
【請求項７】
記録ヘッドが載置される載置部と、前記記録ヘッドを押圧する押圧部と、前記押圧部による押圧方向と交差し各々が交差する複数方向において前記記録ヘッドを当接可能な当接部と、を備える記録装置において使用可能な前記記録ヘッドであって、
前記押圧部による押圧力の一部を前記複数方向に分ける被押圧面を有し、
前記被押圧面が前記押圧部で押圧されることによって、前記載置部、前記押圧部及び前記当接部により挟持可能であることを特徴とする記録ヘッド。
【請求項８】
記録ヘッドを載置部に取り付ける記録ヘッド取り付け方法であって、
前記記録ヘッドは、押圧力の一部を押圧方向と交差し各々が交差する複数方向に分ける被押圧面を有し、
前記被押圧面を押圧部で前記押圧方向に押圧することによって、
前記記録ヘッドを前記複数方向において当接部に当接させ、
前記載置部、前記押圧部及び前記当接部により挟持することを特徴とする記録ヘッド取り付け方法。
【発明の詳細な説明】
【技術分野】
【０００１】
本発明は、記録装置、記録ヘッド及び記録ヘッド取り付け方法に関する。
【背景技術】
【０００２】
従来から、載置部に記録ヘッドが載置されて取り付けられ、該載置部に取り付けられた記録ヘッドを用いて記録を行う記録装置が使用されている。このような記録装置においては、記録ヘッドを載置部に取り付ける必要があるが、狭い領域に記録ヘッドを取り付けなくてはならない場合が多く、記録ヘッドの取り付けを簡単に行うことが要求されている。  
そこで、特許文献１には、記録ヘッドとしてのヘッド部を載置部としてのキャリッジの底板に簡単に着脱すること、すなわち、記録ヘッドを載置部に簡単に取り付けることを目的とした記録装置が開示されている。
【先行技術文献】
【特許文献】
【０００３】
【特許文献１】特開２０１３−７５３６１号公報
【発明の概要】
【発明が解決しようとする課題】
【０００４】
近年の記録装置における記録される画像の解像度は高い。したがって、画像を形成する際の記録位置のずれの許容量は狭い。このため、記録ヘッドの取り付け位置のずれに対する許容量も狭くなっている。  
しかしながら、従来の記録装置では記録ヘッドの製造誤差を許容するため、記録ヘッドが取り付けられる取り付け部は記録ヘッドの大きさに対して大きめに形成されていた。このため、記録ヘッドを所望の取り付け位置に取り付けようとする際に、該所望の位置から許容量以上にずれる虞があった。なお、特許文献１の記録装置は、記録ヘッドが所望の取り付け位置から許容量以上にずれて取り付けられることに関する記載はない。  
一方、記録ヘッドを載置部に取り付ける際にネジ止めなどによる固定と記録動作などによる位置確認とを繰り返し行うことにより記録ヘッドの位置合わせを行う従来の一般的な方法は、記録ヘッドを載置部に取り付ける際の負担が大きかった。  
このように、従来の記録装置では、記録ヘッドを取り付ける際の所望の位置に対する取り付け位置のずれを簡単に抑制することが困難であった。
【０００５】
そこで、本発明の目的は、記録ヘッドを取り付ける際の所望の位置に対する取り付け位置のずれを簡単に抑制することである。
【課題を解決するための手段】
【０００６】
上記課題を解決するための本発明の第１の態様の記録装置は、記録ヘッドと、前記記録ヘッドが載置される載置部と、前記記録ヘッドを押圧する押圧部と、前記押圧部による押圧方向と交差し各々が交差する複数方向において前記記録ヘッドを当接可能な当接部と、を備え、前記記録ヘッドは、前記押圧部による押圧力の一部を前記複数方向に分ける被押圧面を有し、前記被押圧面が前記押圧部に押圧されることによって、前記載置部、前記押圧部及び前記当接部により挟持されることを特徴とする。
【０００７】
本発明の第２の態様の記録装置は、前記第１の態様において、前記押圧部は、弾性部材を有し、該弾性部材の弾性力により前記記録ヘッドを押圧することを特徴とする。
【０００８】
本発明の第３の態様の記録装置は、前記第１又は第２の態様において、前記被押圧面は、前記記録ヘッドにおける前記押圧方向及び前記複数方向の上流側端部に形成されていることを特徴とする。
【０００９】
本発明の第４の態様の記録装置は、前記第１から第３のいずれか１つの態様において、前記被押圧面は、前記押圧方向に凹状の曲面で構成されていることを特徴とする。
【００１０】
本発明の第５の態様の記録装置は、前記第４の態様において、前記押圧部は、前記凹状の曲面に対応する前記押圧方向に凸状の曲面で、該凹状の曲面を押圧することを特徴とする。
【００１１】
本発明の第６の態様の記録装置は、前記第１から第５のいずれか１つの態様において、前記載置部は、複数の前記記録ヘッドを載置可能であり、複数の前記記録ヘッドの各々の前記被押圧面は、複数の前記記録ヘッドが前記載置部に載置された状態においては、１カ所にまとまるように配置され、前記押圧部は、前記１カ所にまとめられた各々の前記被押圧面をまとめて押圧可能であることを特徴とする。
【００１２】
本発明の第７の態様の記録ヘッドは、記録ヘッドが載置される載置部と、前記記録ヘッドを押圧する押圧部と、前記押圧部による押圧方向と交差し各々が交差する複数方向において前記記録ヘッドを当接可能な当接部と、を備える記録装置において使用可能な前記記録ヘッドであって、前記押圧部による押圧力の一部を前記複数方向に分ける被押圧面を有し、前記被押圧面が前記押圧部で押圧されることによって、前記載置部、前記押圧部及び前記当接部により挟持可能であることを特徴とする。
【００１３】
本発明の第８の態様の記録ヘッド取り付け方法は、記録ヘッドを載置部に取り付ける記録ヘッド取り付け方法であって、前記記録ヘッドは、押圧力の一部を押圧方向と交差し各々が交差する複数方向に分ける被押圧面を有し、前記被押圧面を押圧部で前記押圧方向に押圧することによって、前記記録ヘッドを前記複数方向において当接部に当接させ、前記載置部、前記押圧部及び前記当接部により挟持することを特徴とする。
【発明の効果】
【００１４】
本発明によれば、記録ヘッドを取り付ける際の所望の位置に対する取り付け位置のずれを簡単に抑制することができる。
【図面の簡単な説明】
【００１５】
【図１】本発明の実施例１に係る記録装置を表す概略側面図。
【図２】本発明の実施例１に係る記録装置の要部を表す概略平面図。
【図３】本発明の実施例１に係る記録装置の要部を表す概略側面図。
【図４】本発明の実施例１に係る記録装置の要部を表す概略平面図。
【図５】本発明の実施例１に係る記録装置の記録ヘッドを表す概略斜視図。
【図６】本発明の実施例２に係る記録装置の要部を表す概略側面図。
【図７】本発明の実施例３に係る記録装置の要部を表す概略平面図。
【発明を実施するための形態】
【００１６】
以下に、本発明の一実施例に係る記録装置について、添付図面を参照して詳細に説明する。  
［実施例１］（図１〜図５）  
最初に、本実施例の記録装置１の概要について説明する。  
図１は、本実施例の記録装置１を表す概略側面図である。
【００１７】
図１で表されるように、本実施例の記録装置１は、ロール状の被記録媒体Ｐのセット部２を備えている。そして、該セット部２から、被記録媒体Ｐの支持部であるプラテン３を介して、被記録媒体Ｐをロール状に巻き取ることが可能な巻取部４まで、被記録媒体Ｐを搬送方向Ａに搬送することが可能である。すなわち、セット部２から巻取部４までが記録装置１における被記録媒体Ｐの搬送経路であり、プラテン３は該搬送経路に設けられた被記録媒体Ｐの支持部である。なお、セット部２は第１の回転方向である回転方向Ｃに被記録媒体Ｐを回転して該被記録媒体Ｐを送出し、巻取部４は回転方向Ｃに回転して被記録媒体Ｐを巻き取る。
【００１８】
ここで、図１は、被記録媒体Ｐのロールの外側の面Ｐ１に記録を行うことが可能な被記録媒体Ｐのセット状態を表している。この場合、セット部２を回転方向Ｃに回転する。一方、被記録媒体Ｐのロールの内側の面Ｐ２に記録を行うことも可能であり、その場合、セット部２を回転方向Ｃとは逆の回転方向に回転する。  
そして、同様に、図１では、本実施例の巻取部４は被記録媒体Ｐの面Ｐ１が外側になるように巻き取る状態であるので、巻取部４は回転方向Ｃに回転する。一方、面Ｐ１が内側になるように巻き取ることも可能である。その場合は、巻取部４は回転方向Ｃとは逆の回転方向に回転する。
【００１９】
また、本実施例の記録装置１は、被記録媒体Ｐの搬送経路に、搬送方向Ａと交差する交差方向Ｂの回転軸を有するローラー対で構成される搬送部７が設けられている。搬送部７は、被記録媒体Ｐに搬送力を付与する駆動ローラー８と、駆動ローラー８と対向する位置に設けられた従動ローラー９とからなる搬送ローラー対で構成されている。このような構成により、本実施例の記録装置１は、被記録媒体Ｐの搬送経路において、セット部２から送出された被記録媒体Ｐを搬送部７が搬送し、搬送部７により巻取部４まで搬送された該被記録媒体Ｐを巻取部４で巻き取る。
【００２０】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部２として、例えば、所謂、給紙（給送）トレイ及び給紙（給送）カセットなどと呼ばれるものを使用してもよい。また、被記録媒体Ｐの回収部として、巻取部４以外の回収部として、例えば、所謂、排出用受部、排紙（排出）トレイ及び排紙（排出）カセットなどと呼ばれるものを使用してもよい。
【００２１】
また、本実施例の記録装置１は、被記録媒体Ｐの搬送経路におけるプラテン３と対向する側にインク（液体の一例）をノズル形成面Ｆから吐出可能な記録ヘッド６が備えられている。記録装置１は、キャリッジ５を介して交差方向Ｂに記録ヘッド６を往復移動させながら、記録ヘッド６のノズル形成面Ｆから被記録媒体Ｐにインクを吐出させて、所望の画像を形成する。このような構成により、記録ヘッド６は、被記録媒体Ｐにインクを吐出して画像を形成することができる。
【００２２】
なお、本実施例の記録装置１は、交差方向Ｂに往復移動しながら記録する記録ヘッド６を備える構成である。このため、このような構成の記録ヘッド６に対応して、搬送部７は、被記録媒体Ｐを間欠搬送することが可能な構成になっている。  
すなわち、本実施例の記録装置１は、プラテン３上において、搬送方向Ａに被記録媒体Ｐを間欠搬送し、搬送方向Ａと交差する交差方向Ｂに記録ヘッド６を移動しながら、搬送方向Ａ及び交差方向Ｂと共に交差する方向である鉛直方向Ｄに沿う方向にインクを吐出することで、被記録媒体Ｐに画像を形成することができる構成である。
【００２３】
なお、本実施例の記録装置１は、往復移動しながら記録する記録ヘッド６を備えているが、インクを吐出するノズルを搬送方向Ａと交差する交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体Ｐを相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００２４】
次に、本実施例の記録装置１の要部であるキャリッジ５の内部構成について説明する。  
図２は、本実施例のキャリッジ５の内部を表す概略平面図である。また、図３は、本実施例のキャリッジ５の内部を表す概略側面図である。また、図４は、本実施例のキャリッジ５の内部を表す概略平面図であり、記録ヘッド６の取り付け動作を説明するための図である。詳細には、図４（Ａ）は押圧部１２で記録ヘッド６を押圧していない状態であって記録ヘッド６を当接部１１に当接させていない状態を表しており、図４（Ｂ）は押圧部１２で記録ヘッド６を押圧している状態であって記録ヘッド６を当接部１１に当接させている状態を表している。そして、図５は、本実施例の記録ヘッド６の概略斜視図である。
【００２５】
図２で表されるように、本実施例のキャリッジ５には、４つの記録ヘッド６を取り付け可能である。そして、４つの記録ヘッド６の各々に対応して、記録ヘッド６が載置される載置部１６に向けて記録ヘッド６を押圧する押圧部１２と、記録ヘッド６を当接可能な当接部１１とが、設けられている。なお、図では表されていないが、載置部１６の、記録ヘッド６のノズル形成面Ｆにおけるノズル形成位置に対応する部分は、孔部が設けられ、貫通している。  
また、図３で表されるように、本実施例の押圧部１２は、基体部１３と棒状部１４と接触部１５とを有しており、接触部１５は棒状部１４の一方側端部に設けられ、棒状部１４の他方側端部には基体部１３との接続部１７が設けられている。そして、棒状部１４は接続部１７を回転軸として基体部１３に対して回転方向Ｃ及び該回転方向Ｃと逆の回転方向に移動可能になっている。このような構成により、押圧部１２は、載置部１６側に向かう押圧方向Ｚに記録ヘッド６を押圧することが可能な構成になっている。  
また、図３及び図４で表されるように、本実施例の載置部１６には、押圧方向Ｚに押圧された記録ヘッド６を、押圧方向Ｚと交差し各々が交差する複数方向Ｘ及びＹにおいて当接可能な当接部１１が設けられている。  
ここで、記録ヘッド６は、押圧部１２による押圧方向Ｚの押圧力の一部を複数方向Ｘ及びＹに分ける被押圧面１０（図５参照）が構成されており、図３及び図４で表されるように、被押圧面１０が押圧部１２に押圧されることによって、載置部１６、押圧部１２及び当接部１１により挟持される。  
すなわち、記録ヘッド６は、被押圧面１０が押圧部１２に押圧されることによって、各々交差する３方向Ｘ、Ｙ及びＺに押圧された状態で当接される。このため、記録ヘッド６を押圧部１２で押圧させるという１のアクションで所望の位置に記録ヘッド６を位置合わせ及び固定することができる構成になっている。したがって、本実施例の記録装置１は、記録ヘッド６をキャリッジ５に取り付ける際の所望の位置に対する取り付け位置のずれを簡単に抑制することができる。  
なお、本実施例の記録ヘッド６は、押圧部１２の押圧力により位置合わせだけではなく併せて固定もされる構成であるが、別途ネジ止め等の方法により固定される構成としてもよい。
【００２６】
記録ヘッド６の観点から別の表現をすると、本実施例の記録ヘッド６は、記録ヘッド６が載置される載置部１６と、載置部１６側に向かう押圧方向Ｚに記録ヘッド６を押圧する押圧部１２と、押圧方向Ｚと交差し各々が交差する複数方向Ｘ及びＹにおいて記録ヘッド６を当接可能な当接部１１と、を備える記録装置１において使用可能である。そして、押圧部１２による押圧力の一部を複数方向に分ける被押圧面１０を有し、被押圧面１０が押圧部１２で押圧されることによって、載置部１６、押圧部１２及び当接部１１により挟持可能である。
【００２７】
記録ヘッド取り付け方法の観点からさらに別の表現をすると、本実施例の記録ヘッド取り付け方法は、記録ヘッド６を載置部１６に取り付ける記録ヘッド取り付け方法であって、載置部１６側に向かう押圧方向Ｚの押圧力の一部を該押圧方向と交差し各々が交差する複数方向Ｘ及びＹに分ける被押圧面１０を有する記録ヘッド６の該被押圧面１０を押圧部１２で押圧方向Ｚに押圧することによって、記録ヘッド６を複数方向Ｘ及びＹにおいて当接部１１に当接させ、載置部１６、押圧部１２及び当接部１１により挟持する。
【００２８】
ここで、図３で表されるように、本実施例の押圧部１２は、弾性部材であるバネ１８を棒状部１４と接触部１５との間に有しており、該バネ１８の弾性力により記録ヘッド６を押圧可能な構成になっている。  
このように、簡単な構成で、押圧部１２は記録ヘッド６を押圧可能になっている。
【００２９】
また、図２から図５で表されるように、本実施例の記録ヘッド６では、被押圧面１０が該記録ヘッド６における押圧方向Ｚ並びに方向Ｘ及びＹの上流側端部、すなわち、当接部１１に当接する側の角部とは対向する位置の記録ヘッド６の角部に形成されている。別の表現をすると、被押圧面１０は、記録ヘッド６における各々交差する３方向Ｘ、Ｙ及びＺの上流側端部に形成されている。このため、効率的に、記録ヘッド６を各々交差する３方向Ｘ、Ｙ及びＺに押圧した状態で載置部１６及び当接部１１に当接することができる構成になっている。
【００３０】
また、図５で表されるように、本実施例の被押圧面１０は、押圧方向Ｚに凹状の曲面で構成されている。このため、被押圧面１０が平面で構成される場合に比べて、効率的に力が加わり、効率的に記録ヘッド６を各々交差する３方向Ｘ、Ｙ及びＺに押圧した状態で載置部１６及び当接部１１に当接することができる構成になっている。  
なお、「凹状の曲面」としては、例えば、本実施例のような凹状の球面のほか、凹状の円錐面などが挙げられるが、特にその限定はない。
【００３１】
一方、図３で表されるように、本実施例の押圧部１２の接触部１５は、凹状の曲面である被押圧面１０に対応する押圧方向Ｚに凸状の曲面で、該凹状の曲面である被押圧面１０を押圧することが可能に構成されている。このため、特に効率的に力が加わり、特に効率的に記録ヘッド６を各々交差する３方向Ｘ、Ｙ及びＺに押圧した状態で載置部１６及び当接部１１に当接することができる構成になっている。  
なお、「凸状の曲面」としては、例えば、本実施例のような凸状の球面のほか、凸状の円錐面などが挙げられるが、前記凹状の球面と同様、特にその限定はない。  
また、「凹状の曲面である被押圧面１０に対応する押圧方向Ｚに凸状の曲面」とするには、例えば、前記凹状の曲面に前記凸状の曲面が面接触する等、前記凹状の曲面に前記凸状の曲面がフィットすることが好ましい。具体的には、接触部１５の曲率半径は、被押圧面１０の曲率半径以下であって、その差が例えば１０以下など小さいことが好ましい。このような構成とすることで、効率的に押圧方向を複数方向に分けることができるためである。
【００３２】
［実施例２］（図６）  
次に、実施例２の記録装置について、添付図面を参照して詳細に説明する。  
図６は本実施例の記録装置１の要部であるキャリッジ５の内部を表す概略側面図であり、実施例１の記録装置１の図３に対応する図である。なお、上記実施例１と共通する構成部材は同じ符号で示しており、詳細な説明は省略する。  
なお、本実施例の記録装置１は、キャリッジ５の内部構成以外は、実施例１の記録装置１と同様の構成である。
【００３３】
実施例１の押圧部１２は、バネ１８の弾性力により記録ヘッド６を押圧方向Ｚに押圧可能な構成であった。  
一方、本実施例の押圧部１２は、弾性部材として、バネ１８を有さず、棒状部１４の代わりに板バネ１９を有する構成である。そして、バネ１８の弾性力の代わりに板バネ１９の弾性力により記録ヘッド６を押圧方向Ｚに押圧可能な構成である。  
なお、実施例１の押圧部１２はバネ１８の弾性力により記録ヘッド６を押圧方向Ｚに押圧可能な構成であり、本実施例の押圧部１２は板バネ１９の弾性力により記録ヘッド６を押圧方向Ｚに押圧可能な構成であるが、記録ヘッド６を押圧方向Ｚに押圧する構成に特に限定はない。
【００３４】
［実施例３］（図７）  
次に、実施例３の記録装置について、添付図面を参照して詳細に説明する。  
図７は本実施例の記録装置１の要部であるキャリッジ５の内部を表す概略側面図であり、実施例１の記録装置１の図２に対応する図である。なお、上記実施例１と共通する構成部材は同じ符号で示しており、詳細な説明は省略する。  
なお、本実施例の記録装置１は、キャリッジ５の内部構成以外は、実施例１及び２の記録装置１と同様の構成である。
【００３５】
実施例１のキャリッジ５は、４つの記録ヘッド６を４つの押圧部１２及び４つの当接部１１で位置合わせ及び固定する構成であった。  
一方、本実施例のキャリッジ５は、８つの記録ヘッド６を２つの押圧部１２及び８つの当接部１１で位置合わせ及び固定する構成である。  
詳細には、本実施例のキャリッジ５は、４つの記録ヘッド６ずつの２つの領域各々において、４つの記録ヘッド６の被押圧面１０を１カ所に寄せて配置する。そして、寄せられた被押圧面１０を１つの押圧部１２により押圧し、該１つの押圧部１２により押圧された４つの記録ヘッド６を４つの当接部１１に当接する構成である。
【００３６】
別の表現をすると、本実施例の載置部１６は、複数の記録ヘッド６を載置可能である。そして、複数の記録ヘッド６の各々の被押圧面１０は、複数の記録ヘッド６が載置部１６に載置された状態においては、１カ所にまとまるように配置される。そして、押圧部１２は、１カ所にまとめられた各々の被押圧面１０をまとめて押圧可能である。  
このため、１つの押圧部１２で複数の記録ヘッド６を位置合わせ及び固定することができ、装置構成の単純化、装置のコンパクト化及び低コスト化などを可能にしている。  
ここで、本実施例のキャリッジ５は、４つの記録ヘッド６の各々の被押圧面１０が１カ所にまとまるように配置され、これを１つの押圧部１２により押圧可能な構成であるが、このような構成には限定されない。例えば、２つ、３つ又は５つ以上の記録ヘッド６の各々の被押圧面１０が１カ所にまとまるように配置され、これを１つの押圧部１２により押圧可能な構成としてもよい。
【００３７】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３８】
本発明の第１の態様の記録装置１は、記録ヘッド６と、記録ヘッド６が載置される載置部１６と、記録ヘッド６を押圧する押圧部１２と、押圧部１２による押圧方向Ｚと交差し各々が交差する複数方向Ｘ及びＹにおいて記録ヘッド６を当接可能な当接部１１と、を備え、記録ヘッド６は、押圧部１２による押圧力の一部を複数方向Ｘ及びＹに分ける被押圧面１０を有し、被押圧面１０が押圧部１２に押圧されることによって、載置部１６、押圧部１２及び当接部１１により挟持されることを特徴とする。
【００３９】
本態様によれば、記録ヘッド６は、押圧部１２による押圧力の一部を複数方向Ｘ及びＹに分ける被押圧面１０を有し、被押圧面１０が押圧部１２に押圧されることによって、載置部１６、押圧部１２及び当接部１１により挟持される。すなわち、記録ヘッド６は、被押圧面１０が押圧部１２に押圧されることによって、各々交差する３方向Ｘ、Ｙ及びＺに押圧された状態で当接される。このため、記録ヘッド６を押圧部１２で押圧させるという１のアクションで所望の位置に記録ヘッド６を位置合わせ及び固定することができる。すなわち、記録ヘッド６を取り付ける際の所望の位置に対する取り付け位置のずれを簡単に抑制することができる。
【００４０】
本発明の第２の態様の記録装置１は、前記第１の態様において、押圧部１２は、弾性部材１８（１９）を有し、該弾性部材１８（１９）の弾性力により記録ヘッド６を押圧することを特徴とする。
【００４１】
本態様によれば、押圧部１２は弾性部材１８（１９）の弾性力により記録ヘッド６を押圧する。このため、簡単な構成で、押圧部１２は記録ヘッド６を押圧することができる。
【００４２】
本発明の第３の態様の記録装置１は、前記第１又は第２の態様において、被押圧面１０は、記録ヘッド６における押圧方向Ｚ及び複数方向Ｘ及びＹの上流側端部に形成されていることを特徴とする。
【００４３】
本態様によれば、被押圧面１０は記録ヘッド６における押圧方向Ｚ及び複数方向Ｘ及びＹの上流側端部に形成されている。すなわち、例えば、記録ヘッド６の角部など、記録ヘッド６における各々交差する３方向Ｘ、Ｙ及びＺの上流側端部に被押圧面１０は形成されている。このため、効率的に、記録ヘッド６を各々交差する３方向Ｘ、Ｙ及びＺに押圧した状態で載置部１６及び当接部１１に当接することができる。
【００４４】
本発明の第４の態様の記録装置１は、前記第１から第３のいずれか１つの態様において、被押圧面１０は、押圧方向Ｚに凹状の曲面で構成されていることを特徴とする。
【００４５】
本態様によれば、被押圧面１０は押圧方向Ｚに凹状の曲面で構成されている。このため、被押圧面１０が平面で構成される場合に比べて、効率的に、記録ヘッド６を各々交差する３方向Ｘ、Ｙ及びＺに押圧した状態で載置部１６及び当接部１１に当接することができる。
【００４６】
本発明の第５の態様の記録装置１は、前記第４の態様において、押圧部１２は、前記凹状の曲面に対応する押圧方向Ｚに凸状の曲面で、該凹状の曲面を押圧することを特徴とする。
【００４７】
本態様によれば、押圧部１２は凹状の曲面に対応する押圧方向Ｚに凸状の曲面で構成されている。このため、特に効率的に、記録ヘッド６を各々交差する３方向Ｘ、Ｙ及びＺに押圧した状態で載置部１６及び当接部１１に当接することができる。  
なお、「前記凹状の曲面に対応する押圧方向Ｚに凸状の曲面」とは、例えば、前記凹状の曲面に前記凸状の曲面が面接触する等、前記凹状の曲面に前記凸状の曲面がフィットすることを意味する。
【００４８】
本発明の第６の態様の記録装置１は、前記第１から第５のいずれか１つの態様において、載置部１６は、複数の記録ヘッド６を載置可能であり、複数の記録ヘッド６の各々の被押圧面１０は、複数の記録ヘッド６が載置部１６に載置された状態においては、１カ所にまとまるように配置され、押圧部１２は、前記１カ所にまとめられた各々の被押圧面１０をまとめて押圧可能であることを特徴とする。
【００４９】
本態様によれば、複数の記録ヘッド６を載置部１６に載置可能であって、複数の記録ヘッド６の各々の被押圧面１０は、複数の記録ヘッド６が載置部１６に載置された状態においては、１カ所にまとまるように配置される構成である。そして、押圧部１２は１カ所にまとめられた各々の被押圧面１０をまとめて押圧可能である。このため、１つの押圧部１２で複数の記録ヘッド６を位置合わせ及び固定することができ、装置構成の単純化、装置のコンパクト化及び低コスト化などが可能になる。
【００５０】
本発明の第７の態様の記録ヘッド６は、記録ヘッド６が載置される載置部１６と、記録ヘッド６を押圧する押圧部１２と、押圧部１２による押圧方向Ｚと交差し各々が交差する複数方向Ｘ及びＹにおいて記録ヘッド６を当接可能な当接部１１と、を備える記録装置１において使用可能な記録ヘッド６であって、押圧部１２による押圧力の一部を複数方向Ｘ及びＹに分ける被押圧面１０を有し、被押圧面１０が押圧部１２で押圧されることによって、載置部１６、押圧部１２及び当接部１１により挟持可能であることを特徴とする。
【００５１】
本態様によれば、記録ヘッド６は、押圧部１２による押圧力の一部を複数方向Ｘ及びＹに分ける被押圧面１０を有し、被押圧面１０が押圧部１２に押圧されることによって、載置部１６、押圧部１２及び当接部１１により挟持可能である。すなわち、記録ヘッド６は、被押圧面１０が押圧部１２に押圧されることによって、各々交差する３方向Ｘ、Ｙ及びＺに押圧された状態で当接可能である。このため、記録ヘッド６を押圧部１２で押圧させるという１のアクションで所望の位置に記録ヘッド６を位置合わせ及び固定することができる。すなわち、記録ヘッド６を取り付ける際の所望の位置に対する取り付け位置のずれを簡単に抑制することができる。
【００５２】
本発明の第８の態様の記録ヘッド取り付け方法は、記録ヘッド６を載置部１６に取り付ける記録ヘッド取り付け方法であって、記録ヘッド６は、押圧力の一部を押圧方向Ｚと交差し各々が交差する複数方向Ｘ及びＹに分ける被押圧面１０を有し、被押圧面１０を押圧部１２で押圧方向Ｚに押圧することによって、記録ヘッド６を複数方向Ｘ及びＹにおいて当接部１１に当接させ、載置部１６、押圧部１２及び当接部１１により挟持することを特徴とする。
【００５３】
本態様によれば、記録ヘッド６は、押圧部１２による押圧力の一部を複数方向Ｘ及びＹに分ける被押圧面１０を有する。そして、記録ヘッド６の被押圧面１０を押圧部１２で押圧することによって、載置部１６、押圧部１２及び当接部１１により挟持する。すなわち、記録ヘッド６の被押圧面１０を押圧部１２で押圧することによって、各々交差する３方向Ｘ、Ｙ及びＺに押圧した状態で当接する。このため、記録ヘッド６を押圧部１２で押圧させるという１のアクションで所望の位置に記録ヘッド６を位置合わせ及び固定することができる。すなわち、記録ヘッド６を取り付ける際の所望の位置に対する取り付け位置のずれを簡単に抑制することができる。
【符号の説明】
【００５４】
１  記録装置、２  セット部、３  プラテン、４  巻取部、５  キャリッジ、
６  記録ヘッド、７  搬送部、８  駆動ローラー、９  従動ローラー、
１０  被押圧面、１１  当接部、１２  押圧部、１３  基体部、１４  棒状部、
１５  接触部、１６  載置部、１７  接続部、１８  バネ（弾性部材）、
１９  板バネ（弾性部材）、Ｆ  ノズル形成面、Ｐ  被記録媒体、
Ｐ１  被記録媒体Ｐのロールの外側の面、Ｐ２  被記録媒体Ｐのロールの内側の面
【図１】
2016107559.tif 000003
【図２】
2016107559.tif 000004
【図３】
2016107559.tif 000005
【図４】
2016107559.tif 000006
【図５】
2016107559.tif 000007
【図６】
2016107559.tif 000008
【図７】
2016107559.tif 000009